(57)【要約】      （修正有）【課題】化粧洗面台に関し、例えば洗面、洗髪、整髪、特に女性が化粧をする場合に最適な作業環境を提供し、使用者の作業をし易い収納個所からの物品の取出し、使用後の物品の収納が容易かつ確実で、物品の収納・保管に適する化粧洗面台を提供する。【解決手段】天面部１ａにボウル２と蛇口３とを有する洗面台本体１の上部前面に、主ミラー４Ａと、袖ミラー４Ｂ,４Ｃとが開閉可能に設けられ、裏側の開口凹部５には、物品収納棚６Ａ,６Ｂ,６Ｃを設けた化粧洗面台の洗面台本体１の前面に、ボウルが設置される空き空間Ｋに薄形の小物品収納部７が開閉可能に設けられ、該小物品収納部を中央にして左右の両側面、または、左右何れかの一側面に、小物品収納部の面板８の高さと略同一高さｈ２の面板９を有する小物品添収納部１０,１１が略水平同一面Ｘに設けられる。【選択図】図１
0003144760.tif 000002
【実用新案登録請求の範囲】
【請求項１】
天面部にボウルと蛇口とを有する洗面台本体の上部前面に、主ミラーと、袖ミラーとが開閉可能に設けられ、前記主ミラー、および前記袖ミラーの裏側の前記洗面台本体の開口凹部には、物品収納棚が多段・多列に設けられた化粧洗面台において、
前記洗面台本体の前面には、前記ボウルが設置される空き空間に薄形の小物品収納部が開閉可能に設けられるとともに、
該小物品収納部を中央にして左右の両側面、または、前記小物品収納部の左右何れかの一側面には、該小物品収納部の面板の高さと略同一高さの面板を有する薄形の小物品添収納部が略水平同一面に設けられる、
ことを特徴とする化粧洗面台。
【請求項２】
前記小物品収納部が、左右の外側下端に、略水平に配置した枢支点を介して前方へ回動可能に設けられ、前記面板の裏面にはポケット部が設けられたことを特徴とする請求項１に記載の化粧洗面台。
【請求項３】
前記小物品添収納部が、次第に面板の高さが高くなって深みを増す出し入れ可能な複数段の引出状の物品収納部の最上段を構成されていることを特徴とする請求項１または２に記載の化粧洗面台。
【請求項４】
前記小物品添収納部が、皿状のパレットを内部に設けて収納部を多段に有することを特徴とする請求項１−３の何れかに記載の化粧洗面台。
【請求項５】
前記洗面台本体の上部、前面には、白熱灯と、蛍光灯とから成り、スイッチの切換え操作により点滅可能になる照明設備が設けられていることを特徴とする請求項１−４の何れかに記載の化粧洗面台。
【請求項６】
一面に普通ミラーを、他面には拡大ミラーを有する小ミラーが、アームの先端部に対してを垂直方向に水平回動軸により回動可能に設けられ、該アームの基端部側を主ミラー、または前記袖ミラーよりなる扉の裏面に垂直回動軸により水平方向に回動可能に設けられていることを特徴とする請求項１−５の何れかに記載の化粧洗面台。
【考案の詳細な説明】
【技術分野】
【０００１】
本考案は化粧洗面台に関し、例えば洗面、洗髪、整髪、歯を磨く場合はもとより、特に女性が化粧をする場合に最適な作業環境を提供し、また、前記作業を行う場合等では、使用者の作業をし易い収納個所からの物品の取出し、および使用後の物品の収納が容易かつ確実で整然と行え、しかも、大容量の物品の収納・保管に適するようにする。
【背景技術】
【０００２】
従来、例えば洗顔をしたり、手を洗ったり、歯を磨くためのボウルと蛇口とを天面部に有する洗面台本体の上部のキャビネット本体の前面に、主ミラーと、袖ミラーとが開閉可能に設けられ、前記主ミラー、および前記袖ミラーの裏側のキャビネット本体には物品収納棚が多段・多列に設けられた化粧キャビネットがあった。
【０００３】
そして、この化粧キャビネットとして、キャビネット本体の収納凹部の前面開口に位置するように配置される内扉と外扉と、前記内扉が、一方の側縁をキャビネット本体に回転自在に連結すると共に他方の側縁に前記外扉の一方の側縁を回転自在に連結し、前記内扉の閉塞位置で前記内扉に係止し得るように前記キャビネット本体に回転自在に設けられた係止手段と、該係止手段の係止を解除するように前記外扉に設けられた係止解除手段と、を備え、前記内扉を閉じた状態で前記外扉だけを開くと、前記内扉が係止手段に係止されると共に、前記内扉及び前記外扉を閉じた時、前記係止手段の係止が前記係止解除手段で解除されるように構成したことにより、前記外扉だけを開く時に、前記内扉が開くことがなく、側方に壁がある場合に、壁に突き当たるのを防止するようにしたものがあった（例えば特許文献１参照）。
【０００４】
ところが、例えば特許文献１に記載の上記従来の化粧キャビネットでは、主ミラーと、袖ミラーとの裏面に設ける物品収納棚に収納される物品として、例えば、洗顔、手を洗う時、化粧を行う時等に用いる必要な物品が考えられるが、この物品を取り出したり、または、前記物品を物品収納棚に収納するためには、必ず、前記主ミラーや、前記袖ミラーを開いた後に、物品を物品収納棚に収納したり、または、物品収納棚から物品を取り出さなければならず、多くの手間と時間がかかり、不便であり、しかも、使い勝手が悪いものであった等の例えば特許文献１に記載の上記従来の化粧キャビネットの問題点に鑑み、これら従来の化粧キャビネットの欠点を解決するための他の従来例として、キャビネット本体の前面に設けた収納部を覆うように、鏡を前面に設けた複数の扉板を配置し、前記扉板を回動自在に支持具により支持し、互いに隣接する前記扉板のうちの一方の扉板が回動し、収納可能な凹部が、他方の扉板の後方に位置して前記キャビネットに設けられ、前記一方の扉板の前記支持具は、前記キャビネット本体の前記凹部の縁に設けられ、前記他方の前記扉板の支持具は、前記凹部に露出可能に前記キャビネット本体に設けた構成により、使用時には鏡を前面に設けた複数の扉板を三面鏡として使用するほか、複数の扉板のうち、隣接する相互において、一方の鏡を使用する時は、他方の鏡を折り込んで一方の前記鏡の裏面に設けた収納部内に収納することにより、折り込まれた他方の前記鏡の裏面に設けられた前記収納部を露出させ、前記収納部内に収納されている歯ブラシ、ひげ剃り等の物品を取り出して使用するミラーキャビネットがあった（例えば特許文献２参照）。
【特許文献１】特許第３６７４５６３号公報
【特許文献２】特開２００３−１２５８６６号公報
【考案の開示】
【考案が解決しようとする課題】
【０００５】
しかしながら、特許文献１に記載の上記従来の化粧キャビネットは、主ミラーと、袖ミラーとの裏面に設ける物品収納棚に、例えば、洗顔をしたり、手を洗う場合には、洗顔をする等の作業前、または作業後に、洗顔剤、洗浄剤、タオル、スポンジ・ケーキ等の物品を、また、髭剃りを行う場合には、カミソリ、シェービング・クリーム等の物品を、しかも、歯磨きを行う場合には歯ブラシ、歯磨き粉等の物品を、前記主ミラーや前記袖ミラーを開いてから収納したり、または、物品収納棚から物品を取り出さなければならず、多くの手間と時間がかかり、不便であるとともに、使い勝手が悪かった。
【０００６】
同様に化粧を行う場合には、化粧を行う作業前、または作業後に、基礎化粧品としての乳液、クリーム等の内容物が詰められた瓶、チューブ等の容器を、前記主ミラーや、前記袖ミラーを開いた後に、物品収納棚に収納したり、または、物品収納棚から取り出さなければならなかった。そして、化粧を行う物品には、前記基礎化粧品のほか、例えば、アイシャドウ、チーク、アイブロー、マスカラ、口紅等の化粧品が詰められた瓶や皿状の容器、眉毛塗布用のペンシル等の化粧品やブラシ、パフ、スポンジ・ケーキ、塗布筆等の用具のように、大きさや形状が小さく、細かい物品があるが、これらの物品を前記物品収納棚に収納するには、前述のように、前記主ミラーや、前記袖ミラーを開いた後に、物品を物品収納棚に収納したり、または、物品収納棚から物品を取り出さなければならなかった。このため、化粧品や化粧用具等のように、大きさや形状が小さく、細かい小物品を探し出すのに、収納場所が散在したり、見えにくい場所であると、探し出すまでに多くの時間がかかり、不便であった。しかも、収納場所を忘れることがあり、整然として整理整頓するのに不向きであった。
【０００７】
また、特許文献１に記載の上記従来の化粧キャビネットは、化粧を行う時のように、所定の手順に則って連続した作業を行う場合には、化粧に必要な物品を全て主ミラー、および袖ミラーを開いて物品収納棚から外部に取り出して手元に用意しておかなければ、必要な物品を得る毎に、主ミラー、および袖ミラーを開く必要に迫られ、化粧そのものの作業が中断されることになる。従って、化粧を行うのに、作業効率が悪いものであった。しかも、化粧後には、外部に取り出した物品を再び、物品収納棚の元の位置に戻すのにも、多くの手間と時間がかかり、不便であった。
【０００８】
ところで、特許文献１に記載の上記従来の化粧キャビネットは、ボウルと蛇口とを天面部に有する洗面台の下面は、物品を収納するための収納部について、何等の具体的構成、工夫を採用せず、限られた設置スペースを有効活用せず、無駄使いが目立つ。
【０００９】
また、特許文献２に記載の上記従来のミラーキャビネットは、使用時に複数の扉板の前面に設けた鏡を三面鏡として使用者の正面、および左右の両側面の３面を写すのに使用するほか、複数の扉板のうち、隣接する相互において、一方の鏡を使用する時は、他方の鏡は折り込まれて一方の前記鏡の裏面に設けた収納部内に収納されることにより、折り込まれた他方の前記鏡の裏面に設けられた前記収納部は露出され、前記収納部内に収納されている歯ブラシ、ひげ剃り等の物品を取り出して使用するが、大きさや形状が小さく、細かい物品、例えば化粧品や化粧用具等を収納したり、所望の物品を探し出すのに、一層多くの手間と時間がかかり、不便であった。また、収納場所が散在していたり、見えにくい場所であると、所望の物品を探し出すまでに多くの時間がかかっていた。しかも、収納場所を忘れることがあった。
【００１０】
また、特許文献２に記載の上記従来のミラーキャビネットは、全ての化粧品、および化粧に必要な全ての用具を、鏡を前面に設けた扉板が開かれることにより、露出される収納部から外部に取り出したり、出し入れし易い手元に全てを配置するのには限度があり、化粧を行うための作業効率を充分に配慮しているものとはいえなかった。しかも、化粧後には、収納部から外部に取り出した物品を再び、収納部の元の位置に戻すのに、混乱を生じ易く、多くの手間と時間がかかり、不便であった。
【００１１】
また、特許文献２に記載の上記従来のミラーキャビネットは、使用時は、隣接する相互において、一方の鏡は、他方の鏡を折り込んで一方の前記鏡の裏面に設けた収納部内に収納する構造であり、三面鏡姿態に欠けるので、化粧を行うのに、使用者の正面の姿ばかりではなく、左右何れかの一側面の姿を折り込まれた鏡に写し出すことができないため、左右何れかに一方に首を捻らなければ化粧を行うことができず、不便であった。
【００１２】
ところで、特許文献２に記載の上記従来のミラーキャビネットは、ボウルと蛇口とを天面部に有する洗面台の下面には、観音開き形式の扉が開閉可能に設けられて物品を収納するための収納部が形成されているので、前記収納部は、洗濯を行う場合の洗剤、漂白剤が詰められた大容量の容器を収納することを対象としたものであり、化粧品や化粧用具等の大きさや形状が小さく、細かい物品を収納するのには適さなかった。
【００１３】
本考案者は特に、洗面台本体のボウルが設置された前面の僅かな空き空間が、物品の収納部に未だ利用されていないという実情に着目して積極的に物品の収納に活用使用とするものである。
【００１４】
そこで、本考案は、上記従来の欠点を解決し、洗面、整髪、歯を磨く場合に必要な物品はもとより、特に女性が化粧を行う時に必要な化粧品、化粧用具等の大きさや形状が小さく、細かい物品を収納するための小物品収納部を洗面台本体のボウルが設置された空き空間を有効活用して中央に設置されるとともに、その両側面、または一側面に薄形の小物品添収納部を略水平同一面に設けるようにして全体的に収納部のコンパクト化をはかり、以て使用者の手元に届き易い位置に一纏めにし、一目瞭然として整然と小物品を収納して配列し、使い勝手を良好にするとともに、鏡が三面鏡姿態に欠けず、使用者は正面の姿ばかりではなく、首を捻らずに左右両側の姿態を容易かつ確実に鏡に写し出すことができ、また、使用中は作業が中断することなく、作業効率の向上がはかれ、また、作業終了後には物品を元の位置へ容易かつ確実に整然と収納が行えるという便利な化粧洗面台を提供することを目的とする。
【課題を解決するための手段】
【００１５】
本考案は上記課題に鑑みなされ、請求項１に記載の考案は、
天面部にボウルと蛇口とを有する洗面台本体の上部前面に、主ミラーと、袖ミラーとが開閉可能に設けられ、前記主ミラー、および前記袖ミラーの裏側の前記洗面台本体の開口凹部には、物品収納棚が多段・多列に設けられた化粧洗面台において、
前記洗面台本体の前面には、前記ボウルが設置される空き空間に薄形の小物品収納部が開閉可能に設けられるとともに、
該小物品収納部を中央にして左右の両側面、または、前記小物品収納部の左右何れかの一側面には、該小物品収納部の面板の高さと略同一高さの面板を有する薄形の小物品添収納部が略水平同一面に設けられる、
ことを特徴とする。
【００１６】
また、本考案の請求項２に記載の考案は、請求項１において、前記小物品収納部が、左右の外側下端に、略水平に配置した枢支点を介して前方へ回動可能に設けられ、前記面板の裏面にはポケット部が設けられたことを特徴とする。
【００１７】
また、本考案の請求項３に記載の考案は、請求項１または２において、前記小物品添収納部が、次第に面板の高さが高くなって深みを増す出し入れ可能な複数段の引出状の物品収納部の最上段を構成されていることを特徴とする。
【００１８】
また、本考案の請求項４に記載の考案は、請求項１−３の何れかにおいて、前記小物添品収納部が、皿状のパレットを内部に設けて収納部を多段に有することを特徴とする。
【００１９】
また、本考案の請求項５に記載の考案は、請求項１−４の何れかにおいて、前記洗面台本体の上部、前面には、白熱灯と、蛍光灯とから成り、スイッチの切換え操作により点滅可能になる照明設備が設けられていることを特徴とする。
【００２０】
また、本考案の請求項６に記載の考案は、請求項１−５の何れかにおいて、一面に普通ミラーを、他面には拡大ミラーを有する小ミラーが、アームの先端部に対してを垂直方向に水平回動軸により回動可能に設けられ、該アームの基端部側を前記主ミラー、または前記袖ミラーよりなる扉の裏面に垂直回動軸により水平方向に回動可能に設けられていることを特徴とする。
【考案の効果】
【００２１】
本考案の請求項１に記載の考案によれば、天面部にボウルと蛇口とを有する洗面台本体の上部前面に、主ミラーと、袖ミラーとが開閉可能に設けられ、前記主ミラー、および前記袖ミラーの裏側の前記洗面台本体の開口凹部には、物品収納棚が多段・多列に設けられた化粧洗面台において、前記洗面台本体の前面には、前記ボウルが設置される空き空間に薄形の小物品収納部が開閉可能に設けられるとともに、該小物品収納部を中央にして左右の両側面、または、前記小物品収納部の左右何れかの一側面には、該小物品収納部の面板の高さと略同一高さの面板を有する薄形の小物品添収納部が略水平同一面に設けられるので、洗面、整髪、歯を磨く場合に必要な物品はもとより、特に女性が化粧を行う時に必要な化粧品、化粧用具等の大きさや形状が小さく、細かい物品を収納するための小物品収納部を洗面台本体のボウルが設置された空き空間を有効活用して中央に設置された小物品収納部と、該小物品収納部の両側面、または一側面に略水平同一面に設ける薄形の小物品添収納部とに収納することができ、全体的に収納部のコンパクト化がはかれる。以て使用者が頻繁に用いる化粧品、化粧用具等の小物品を使用者の手元に届き易い位置に一纏めにし、一目瞭然に整然と収納して配列し、使い勝手を良好にできる。そして、洗面台本体の上部前面に、開閉可能に設けられた主ミラーと、袖ミラーとは、三面鏡姿態に欠けず、使用者は正面の姿ばかりではなく、首を捻らずに左右両側の姿態を容易かつ確実に鏡に写し出すことができる。そして、使用中に化粧等の作業が中断することなく、作業効率の向上がはかれる。さらには、作業終了後には物品を元の収納位置へ容易かつ確実に整然と収納が行える。
【００２２】
また、本考案の請求項２に記載の考案によれば、前記小物品収納部が、左右の外側下端に、略水平に配置した枢支点を介して前方へ回動可能に設けられ、前記面板の裏面にはポケット部が設けられたので、大きさや形状が小さく、細かい物品、特に女性が化粧を行う時に必要な化粧品、化粧用具等の小物品を洗面台本体のボウルが設置された空き空間を有効活用して中央に設置された小物品収納部に収納することができ、全体的に収納部のコンパクト化がはかれる。以て使用者が頻繁に用いる化粧品、化粧用具等の小物品を使用者の手元に届き易い位置に一纏めにし、一目瞭然として整然と収納して配列し、使い勝手を良好にできる。また、使用中は化粧等の作業が中断されず、作業効率の向上がはかれる。さらには、作業終了後には物品を元の収納位置へ容易かつ確実に整然と収納できる。
【００２３】
また、本考案の請求項３に記載の考案によれば、前記小物品添収納部が、次第に面板の高さが高くなって深みを増す出し入れ可能な複数段の引出状の物品収納部の最上段を構成されているので、大きさや形状が小さく、細かい物品、特に女性が化粧を行う時に必要な化粧品、化粧用具等の小物品を洗面台本体のボウルが設置された空き空間を有効活用して中央に設置された小物品収納部とともに、この小物品収納部を中央にして左右の両側面、または、前記小物品収納部の左右何れかの一側面に設けられた小物品添収納部とに収納でき、全体的に収納部のコンパクト化がはかれる。以て使用者が頻繁に用いる化粧品、化粧用具等の小物品を使用者の手元に届き易い位置に一纏めにし、一目瞭然として整然と収納して配列し、使い勝手を良好にできる。そして、使用中は化粧等の作業が中断することなく、作業効率の向上がはかれる。さらには、作業終了後に物品を元の収納位置へ容易かつ確実に整然と収納できる。
【００２４】
また、本考案の請求項４に記載の考案によれば、前記小物品添収納部が、皿状のパレットを内部に設けて収納部を多段に有するので、大きさや形状が小さく、細かい物品、特に女性が化粧を行う時に必要な化粧品、化粧用具等の小物品を種類、用途、色調、使用頻度が異なる毎に、多段の収納部の各段毎に収納する。
【００２５】
また、本考案の請求項５に記載の考案によれば、前記洗面台本体の上部、前面には、白熱灯と、蛍光灯とから成り、スイッチの切換え操作により点滅可能になる照明設備が設けられているので、白熱灯のみの柔らかい光の照明により、使用者が入浴した後の落ち着いた光を演出し、夜のシーンでの化粧の仕上がりを確認できる。また、蛍光灯のみ照明により、オフィスシーンなどでの化粧の仕上がりを確認することができる。さらに蛍光灯と白熱灯との光との明るい照明の中において化粧を行う場合では、蛍光灯の光が顔色を際だたせ、白熱灯の光の陰影が顔に立体感を持たせ、化粧を最適に仕上げることができる。このように、白熱灯と、蛍光灯とによる照明を切り換えて、意図する化粧を行うことができる。
【００２６】
また、本考案の請求項６に記載の考案によれば、一面に普通ミラーを、他面には拡大ミラーを有する小ミラーが、アームの先端部に対してを垂直方向に水平回動軸により回動可能に設けられ、該アームの基端部側を前記主ミラー、または前記袖ミラーよりなる扉の裏面に垂直回動軸により水平方向に回動可能に設けられているので、使用者は髭剃りや化粧を行う場合に、顔をミラーに近づける等の無理な姿勢を採ることなしに普通ミラーと、拡大ミラーとを前後、左右の何れの方向に設置位置を適当に調整し、拡大ミラーにより拡大視されることにより髭剃りや化粧の細かなチェックが行える。
【考案を実施するための最良の形態】
【００２７】
以下、図面に従って本考案の実施の最良の形態により、本考案の詳細を説明する。
【００２８】
図１は本考案の化粧洗面台の実施形態を示し、三面鏡を開き、洗面台本体の天面部の下部に設けた物品収納部を開いた状態の斜視図、図２は同じく本考案の化粧洗面台の実施形態を示し、三面鏡を閉じ、洗面台本体の天面部の下部に設けた物品収納部を閉じた状態の斜視図、図３は同じく洗面台本体の天面部の下部に設けた物品収納部を閉じた状態の斜視図、図４は同じく本考案の化粧洗面台の実施形態を示す中央縦断面図、図５は同じく本考案の化粧洗面台の実施形態を構成する小ミラーの斜視図である。
【００２９】
本実施形態は、天面部１ａにボウル２と蛇口３とを有する洗面台本体１の上部前面に、主ミラー４Ａと、袖ミラー４Ｂ,４Ｃとが開閉可能に設けられ、前記主ミラー４Ａ、および前記袖ミラー４Ｂ,４Ｃの裏側の前記洗面台本体1の開口凹部５には、物品収納棚６Ａ,６Ｂ,６Ｃが多段・多列に設けられた化粧洗面台において、前記洗面台本体１の前面には、前記ボウル２が設置される空き空間Ｋに薄形の小物品収納部７が開閉可能に設けられるとともに、該小物品収納部７を中央にして左右の両側面、または、前記小物品収納部７の左右何れかの一側面、図示する本実施形態では、前記小物品収納部７を中央にして左右の両側面には、該小物品収納部７の面板８の高さｈ１と略同一高さｈ２の面板９を有する薄形の小物品添収納部１０,１１が略水平同一面Ｘに設けられている。
【００３０】
前記小物品収納部７が、前記面板８の左右の外側下端に、略水平に配置した枢支点１２,１２を介して前方へ回動可能に設けられる。前記面板８は、その裏面に取付けられて油圧または空圧により、ピストンがシリンダー内を移動するダンパー部材ｄによりゆっくりと開閉動作される。前記面板８の裏面にはポケット部１３が設けられている。このポケット部１３には、大きさや形状が小さく、細かい物品、特に女性が化粧を行う時に必要な化粧品、化粧用具等の小物品Ｍが収納される。
【００３１】
前記小物品添収納部１０,１１が、次第に面板９Ａ,９Ｂ,９Ｃの高さｈ２,ｈ３,ｈ４が高くなって深みを増す出し入れ可能な複数段の引出状の物品収納部Ｓの最上段を構成されている。
【００３２】
また、図示する本実施形態では、前記小物品添収納部１０が、皿状のパレットＰを内部に設けて収納部１０ａ,１０ｂ・・・を多段に有する。このように、前記小物品添収納部１０,１１が、皿状のパレットＰを内部に設けて収納部１０ａ,１０ｂ・・・,１１ａ,１１ｂ・・・・を多段に収納するようにしたのは、大きさや形状が小さく、細かい物品、特に女性が化粧を行う時に必要な化粧品、化粧用具等の小物品を種類、用途、色調、使用頻度が異なる毎に、多段の収納部の各段毎に整然と収納し、使い勝手を良くするためてある。
【００３３】
図１に示すように、前記洗面台本体１の上部、前面には、白熱灯１４と、蛍光灯１５Ａ,１５Ｂとから成り、スイッチＳＷ1の切換え操作により点滅可能になる照明設備１６が設けられている。
【００３４】
また、洗面台本体１の天面部１ａに設置される空き空間Ｋの下部には、図には示さないがボウル２の排水口をボウル２の直下に配管するのではなく、ボウル２から洗面台本体１の下部背板に近接するように奥方向へ屈曲してから、この下部背板に沿わすように下方に配管したことにより、前記小物品収納部７の下方部の空き空間Ｋを広く確保し、扉を開閉可能に有する物品の収納部として有効活用するようにしている。
【００３５】
また、洗面台本体１の上部前面に開閉可能に設けられた前記主ミラー４Ａ、および前記袖ミラー４Ｂ,４Ｃの裏側の多段・多列の物品収納棚６Ａ,６Ｂ,６Ｃの何れかの一部にフックのような係止具を設けることによりドライヤーの収納スペースを確保したり、また、物品収納棚６Ａ,６Ｂ,６Ｃの何れかの下部には多孔板やメッシュのような通気性の良好な通気棚を設けることにより、洗顔時に使用するコップ、歯ブラシ等を衛生的に収納する収納部を形成している。
【００３６】
また、一面に普通ミラー１７Ａを、他面には拡大ミラー１７Ｂを有する小ミラー１７が、アーム１８と、および該アーム１８の基端部側を主ミラー、または前記袖ミラーよりなる扉の裏面に水平方向に回動可能に設ける垂直回動軸１９Ａと、アーム１８の先端部に対して小ミラー１７を垂直方向に回動可能に設ける水平回動軸１９Ｂと、を介して前後、左右何れの方向にミラーの角度、向きを変更可能に設けられている。このような小ミラー１７を設けたのは、使用者が髭剃りや化粧を行う場合に、顔をミラーに近づける等の無理な姿勢を採ることなしに普通ミラー１７Ａと、拡大ミラー１７Ｂとを前後、左右の何れの方向に設置位置を適当に調整し、髭剃りや化粧が行うためである。
【００３７】
本実施形態の化粧洗面台は以上の構成からなり、洗面台本体１の上部前面に、主ミラー４Ａと、袖ミラー４Ｂ,４Ｃとが設けられているので、例えば洗面、洗髪、整髪、歯を磨く場合はもとより、特に女性が化粧をする場合に、主ミラー４Ａと、袖ミラー４Ｂ,４Ｃとが三面鏡として使用される。また、洗面台本体1の前記主ミラー４Ａ、および前記袖ミラー４Ｂ,４Ｃの裏側の開口凹部５に、多段・多列に設けられた物品収納棚６Ａ,６Ｂ,６Ｃには、洗顔をしたり、手を洗う場合の洗顔剤、洗浄剤、タオル、スポンジ・ケーキ等の物品を、しかも、髭剃りを行う場合には、カミソリ、シェービング・クリーム等の物品を、歯磨きを行う場合には歯ブラシ、歯磨き粉等の物品が収納される。
【００３８】
ところで、本実施形態の化粧洗面台では、前記洗面台本体１の前面には、前記ボウル２が設置される空き空間Ｋに薄形の小物品収納部７を中央にして左右の両側面には、該小物品収納部７の面板８の高さｈ１と略同一高さｈ２の面板９を有する薄形の小物品添収納部１０,１１が略水平同一面Ｘに設けられているので、洗面、整髪、歯を磨く場合に必要な物品はもとより、特に女性が化粧を行う時に必要な化粧品、化粧用具等の大きさや形状が小さく、細かい小物品Ｍを小物品収納部７、および小物品添収納部１０,１１に整理整頓して整然と収納することができる。
【００３９】
このうち、小物品収納部７は、面板８の裏面に取付けられて油圧または空圧により、ピストンがシリンダー内を移動するダンパー部材ｄにより略水平に配置される枢支点１２,１２を中心にゆっくりと回動し、開閉動作される。また、小物品収納部７を中央にして左右の両側面に設けられた薄形の小物品添収納部１０,１１は引出状の物品収納部Ｓの最上段を構成しているので、引き出し後に収納している内容物を上方から一目瞭然に確認できる。
【００４０】
そして、使用者が頻繁に用いる化粧品、化粧用具等の小物品Ｍ、例えば、アイシャドウ、チーク、アイブロー、マスカラ、口紅等の化粧品が詰められた瓶や皿状の容器、眉毛塗布用のペンシル等の化粧品やブラシ、パフ、スポンジ・ケーキ、塗布筆等の用具のように、大きさや形状が小さく、細かい小物品Ｍを中央の小物品収納部７と、その左右の両側面に、小物品収納部７の面板８の高さｈ１と略同一高さｈ２の面板９を有する薄形の小物品添収納部１０,１１に使用頻度や、使い易さに合わせて区分けし、使用者の手元に届き易い位置に一纏めにし、一目瞭然として整然と収納して配列できる。
【００４１】
この際、前記小物品添収納部１０,１１が、皿状のパレットＰを内部に設けて収納部１０ａ,１０ｂ；１１ａ,１１ｂを多段に有するので、大きさや形状が小さく、細かい物品、特に女性が化粧を行う時に必要な化粧品、化粧用具等の小物品Ｍを種類、用途、色調、使用頻度が異なる毎に、多段の収納部１０ａ,１０ｂ；１１ａ,１１ｂの各段毎に整然と収納し、使い勝手を良くできる。
【００４２】
従って、本実施形態の洗面化粧台では、これらの物品を主ミラーや、袖ミラーの裏面に設けた物品収納棚に収納したり、または、物品収納棚から必要な物品を取り出す毎に、主ミラーや、袖ミラーを開いてから行う必要に迫られ、化粧そのものの作業が中断されることになり化粧を行うのに、作業効率が悪く、しかも、物品を探し出すのに、収納場所が散在したり、見えにくい場所であったり、収納場所を忘れたりして多くの時間がかかり、不便であり、また、化粧後には、外部に取り出した物品を再び、物品収納棚の元の位置に戻すのにも、多くの手間と時間がかかり、不便であった特許文献１に記載の化粧キャビネット、および、全ての化粧品、および化粧に必要な全ての用具を、鏡の前面に設けた扉板を開くことにより、露出される収納部から外部に取り出したり、出し入れし易い手元に全てを配置するのに限度がある特許文献２に記載のミラーキャビネットとは異なり、化粧品、化粧用具等の小物品Ｍの使い勝手を良好にできる。
【００４３】
そして、小物品収納部７を洗面台本体１のボウル２が設置された空き空間Ｋを有効活用して中央に設置するとともに、図示する本実施形態のように該小物品収納部７の両側面、または、図には示さないが、一側面に略水平同一面Ｘに薄形の小物品添収納部１０,１１を設けたので、全体的に収納部のコンパクト化がはかれる。
【００４４】
また、図示する本実施形態では前記小物品添収納部１０が、次第に面板９Ａ,９Ｂ,９Ｃの高さｈ２,ｈ３,ｈ４が高くなって深みを増す出し入れ可能な複数段の引出状の物品収納部Ｓとして形成されているので、次第に面板９Ａ,９Ｂ,９Ｃの高さｈ２,ｈ３,ｈ４が高くなって深みを増す下方の引出状の物品収納部Ｓには、化粧品、化粧用具等の小物品Ｍよりも形状、寸法が大きい、例えば美顔器などの美容用品、化粧品のストック、ボディケア用品等を収納することができる。
【００４５】
また、本実施形態の洗面化粧台では、図１に示すように前記洗面台本体１の上部、前面には、白熱灯１４と、蛍光灯１５Ａ,１５Ｂとから成る照明設備１６が設けられているので、スッチＳＷ1の切換え操作により意図する化粧を行うことができる。すなわち、照明設備１６が、白熱灯１４のみの柔らかい光の照明により、使用者が入浴した後の落ち着いた光を演出したり、夜のシーンでの化粧の仕上がりを確認して行うことができ、また、蛍光灯１５Ａ,１５Ｂのみ照明により、オフィスシーンなどでの化粧の仕上がりを確認するようにし、さらに蛍光灯１５Ａ,１５Ｂと白熱灯１４との光との明るい照明の中において化粧を行う場合では、蛍光灯１５Ａ,１５Ｂの光が顔色を際だたせ、白熱灯１４の光の陰影が顔に立体感を持たせ、化粧を最適に仕上げることができる。
【００４６】
また、図１，および図４に示すように、前記主ミラー４Ａ、または前記袖ミラー４Ｂ,４Ｃよりなる扉の裏面には、一面に普通ミラー１７Ａを、他面には拡大ミラー１７Ｂを有する小ミラー１７が、アーム１８の先端部に対して垂直方向に水平回動軸１９Ｂにより回動可能に設けられ、該アーム１８の基端部側を前記主ミラー４Ａ、または前記袖ミラー４Ｂ,４Ｃよりなる扉の裏面に垂直回動軸１９Ａにより水平方向に回動可能に設けられているので、小ミラー１７を水平回動軸１９Ｂと、垂直回動軸１９Ａとにより前後、左右何れの方向にミラーの角度、向きを変更することにより使用者が髭剃りや化粧を行う場合に、顔をミラーに近づける等の無理な姿勢を採ることなしに普通ミラー１７Ａと、拡大ミラー１７Ｂとを選択使用することにより、適切に髭剃りや化粧が行える。
【産業上の利用可能性】
【００４７】
本考案は洗面、整髪、歯を磨く場合に必要な物品はもとより、特に女性が化粧を行う時に必要な化粧品、化粧用具等の大きさや形状が小さく、細かい物品を収納するための小物品収納部を洗面台本体のボウルが設置された空き空間を有効活用して中央に設置されるとともに、その両側面、または一側面に薄形の小物品添収納部を略水平同一面に設けるようにして全体的に収納部のコンパクト化をはかり、以て使用者の手元に届き易い位置に一纏めにし、一目瞭然として整然と小物品を収納して配列し、使い勝手を良好にするとともに、鏡が三面鏡姿態に欠けず、使用者は正面の姿ばかりではなく、首を捻らずに左右両側の姿態を容易かつ確実に鏡に写し出すことができ、また、使用中は作業が中断することなく、作業効率の向上がはかれ、また、作業終了後には物品を元の位置へ容易かつ確実に整然と収納が行えるという用途・機能に適する。
【図面の簡単な説明】
【００４８】
【図１】図１は本考案の化粧洗面台の実施形態を示し、三面鏡を開き、洗面台本体の天面部の下部に設けた物品収納部を開いた状態の斜視図である。
【図２】図２は同じく本考案の化粧洗面台の実施形態を示し、三面鏡を閉じ、洗面台本体の天面部の下部に設けた物品収納部を閉じた状態の斜視図である。
【図３】図３は同じく洗面台本体の天面部の下部に設けた物品収納部を閉じた状態の斜視図である。
【図４】図４は同じく本考案の化粧洗面台の実施形態を示す中央縦断面図である。
【図５】図５は同じく本考案の化粧洗面台の実施形態を構成する小ミラーの斜視図である。
【符号の説明】
【００４９】
１      洗面台本体
１ａ    天面部
２      ボウル
３      蛇口
４Ａ    主ミラー
４Ｂ    袖ミラー
４Ｃ    袖ミラー
５      開口凹部
６Ａ    物品収納棚
６Ｂ    物品収納棚
６Ｃ    物品収納棚
７      小物品収納部
８      面板
９      面板
１０    小物品添収納部
１１    小物品添収納部
１３    ポケット部
Ｍ      小物品
Ｘ      略水平同一面
【図１】
0003144760.tif 000003
【図２】
0003144760.tif 000004
【図３】
0003144760.tif 000005
【図４】
0003144760.tif 000006
【図５】
0003144760.tif 000007